(57)【要約】【課題】ベーパが燃料室の周壁部に沿つて周回し成長するという特性を利用して、ベーパを効果的に捕捉し、かつ迅速に吸気道へ吸引排出する。【解決手段】ダイアフラム式気化器の燃料室４の上壁部に、周縁部から燃料ジエツト１４との連通開口部１３へ延びる複数のベーパ抜き溝１６を設ける。ベーパ抜き溝１６を燃料ジエツト１４を経て吸気道２へ連通する。【選択図】          図１
2004293372.tif 000002
【特許請求の範囲】
【請求項１】
ダイアフラム式気化器の燃料室の上壁部にベーパ抜き溝を設け、該ベーパ抜き溝を燃料ジエツトとの連通開口部へ連通し、前記燃料ジエツトの下流部分を吸気道へ開口したことを特徴とする、内燃機関のためのダイアフラム式気化器の燃料供給機構。
【請求項２】
燃料室の上壁部に設けたベーパ抜き溝は、燃料室の周縁部から燃料ジエツトとの連通開口部まで延びている、請求項１に記載の内燃機関のためのダイアフラム式気化器の燃料供給機構。
【請求項３】
燃料室の上壁部に設けたベーパ抜き溝は、複数本により構成されている、請求項１に記載の内燃機関のためのダイアフラム式気化器の燃料供給機構。
【発明の詳細な説明】
【０００１】
【発明の属する技術分野】
本発明は刈払い機、送風機、チエーンソウなどに搭載される、内燃機関のためのダイアフラム式気化器の燃料供給機構に関するものである。
【０００２】
【従来の技術】
従来のダイアフラム式気化器は、脈動式燃料供給ポンプを一体的に有し、これがため燃料室には振動要因が直接的に作用するとともに機関振動が相乗的に作用し、また燃料室には熱的影響によつてベーパ（燃料蒸気）が発生しやすく、このベーパをうまく抜かなければベーパが燃料ジエツトを閉塞し、いわゆるベーパロツク状態となり、機関への燃料の供給が停止され、機関の運転が停止するという問題があつた。これが対策としては、例えば特公昭４３−２８３４１号公報及び特開平１０−１３１８０７号公報に示すような技術が知られていたが、機関の負荷条件がより厳しくなると、燃料室内のベーパが成長し、機関がベーパロツクによつて停止することがあつた。
【０００３】
そこで、厳しい機関負荷条件でのベーパの発生状況をみるべく、透明な燃料室をもつてベーパの挙動を調べてみたところ、ベーパは燃料室の周壁部で発生し、周壁部に沿つて周回しながら成長するという挙動を示し、ベーパが抜けずらいものであることが分かつた。
【０００４】
【発明が解決しようとする課題】
本発明の課題は上述の問題に鑑み、ベーパが燃料室の周壁部に沿つて周回し成長するという特性を利用して、ベーパを効果的に捕捉し、かつ迅速に吸気道へ吸引排出するようにした、内燃機関のためのダイアフラム式気化器の燃料供給機構を提供することにある。
【０００５】
【課題を解決するための手段】
上記課題を解決するために、本発明の構成はダイアフラム式気化器の燃料室の上壁部にベーパ抜き溝を設け、該ベーパ抜き溝を燃料ジエツトとの連通開口部へ連通し、前記燃料ジエツトの下流部分を吸気道へ開口したことを特徴とする。
【０００６】
【発明の実施の形態】
ベーパは燃料室の周壁部付近で発生し、周壁部に沿つて周回しつつ成長することが確認された。そこで、本発明はベーパの周回力をもつてベーパを燃料ジエツトへ導くように、燃料室の周壁部にベーパ抜き溝を設ける。燃料室に発生し周回するベーパをベーパ抜き溝の縁部で捕捉し溝へ誘導して押し込み、燃料ジエツトを経て吸気道へ吸引排出する。もつて、機関の運転の安定化を図り、さらに排ガスの安定化も得るものである。
【０００７】
【実施例】
本発明の実施例を詳述すると、吸気道２が横貫する気化器本体１は、吸気道２と直交する円筒状の弁室２１に、絞り孔３ａを有する絞り弁３を、回動可能かつ昇降可能に嵌挿される。弁室２１の上端を閉鎖する蓋板２２が複数のボルト２０により気化器本体１に結合される。絞り弁３の上端部に形成した小径の弁軸は蓋板２２を貫通し、上端に絞り弁レバー２７を結合される。絞り弁レバー２７の下面に形成した円弧状のカム溝と、蓋板２２から突出するフオロアとからカム機構が構成される。蓋板２２と絞り弁３との間に戻しばね２６が介装され、かつ戻しばね２６の一端は蓋板２２に、他端は絞り弁３にそれぞれ係止される。絞り弁３は戻しばね２６の力によりアイドル位置へ回転付勢されるが、絞り弁レバー２７の操作により絞り弁３が開方向へ回動されると、吸気道２に対する絞り孔３ａの開度が大きくなり、同時にカム機構により絞り弁３とニードル１９が押し上げられ、燃料ノズル１５の燃焼噴孔の開度が大きくなる。絞り孔３ａへ突出する燃料ノズル１５は、下端を気化器本体１に支持される。燃料室４から燃料ノズル１５へ延びる通路に逆止弁１２と燃料ジエツト１４とが配設される。
【０００８】
気化器本体１とポンプ本体１８との間にダイアフラム２３を挟んで、ダイアフラム２３の上側に脈動圧室を、ダイアフラム２３の下側にポンプ室をそれぞれ形成して燃料供給ポンプ３０が構成される。ポンプ本体１８の下面にはダイアフラム５を挟んで、カバー板７を複数のボルト２８により結合し、ダイアフラム５の上側に燃料室４を、ダイアフラム５の下側に大気室６をそれぞれ形成される。
【０００９】
図２に示すように、天壁４ｂにボルト２５により支持した水平な支持軸９に、レバー８が傾動可能に支持され、レバー８の一端はばねの力によりダイアフラム５の中心部に当接され、他端１０は燃料制御針弁１１の下端に係合される。燃料室４の燃料量の増減に伴いダイアフラム５が下方または上方へ変位すると、レバー８が傾動して燃料制御針弁１１を閉じるか開き、燃料室４の燃料量を所定の値に維持する。これらの作用は従来公知のものである。
【００１０】
本発明では燃料室４の周壁部付近で発生したベーパが燃料室４の周壁部に沿つて周回し成長する特性を利用するために、燃料室４の周壁部に少くとも１つのベーパ抜き溝１６を設け、さらにベーパ抜き溝１６を燃料ジエツト１４との連通開口部１３へ連通したものである。燃料室４は平坦な天壁４ｂと、上端側ほど内径が小さくなる円錐壁４ａとから形成される。天壁４ｂのほぼ中心に逆止弁１２の方へ延びる連通開口部１３が形成される。ベーパ抜き溝１６はポンプ本体１８の下端部から連通開口部１３の上端部へ向つて傾斜する溝通路として構成され、溝通路の深さは円錐壁４ａでは均等であるが、天壁４ｂと連通開口部１３との間では均等ではなく深く切り込まれる。
【００１１】
機関の例えばクランク室の脈動圧を受けて燃料供給ポンプ３０のダイアフラム２３が上下に振動すると、図示してない燃料槽の燃料がポンプ室へ吸引され、さらにポンプ室から燃料制御針弁１１（下端のみを示す）を経て燃料室４へ供給される。燃料室４の周壁部（円錐壁４ａ）付近で発生するベーパが周壁部に沿つて周回し始めると、ベーパはベーパ抜き溝１６の始端である燃料室４の周壁部との接続縁１７に衝突し、ベーパ抜き溝１６へ押し込まれて燃料ジエツト１４との連通開口部１３へ導かれる。そして、燃料ジエツト１４との連通開口部１３へ導かれたベーパは、速やかに燃料とともに逆止弁１２、燃料ジエツト１４、燃料ノズル１５の燃料噴孔を経て吸気道２へ噴出する。
【００１２】
しかも、ベーパ抜き溝１６の始端である接続縁１７を燃料室４の周壁部に配設すると、ベーパが成長することなく発生するたびに、接続縁１７に衝突してベーパ抜き溝１６へ押し込まれ、燃料ジエツト１４との連通開口部１３を経て吸気道２へ速やかに吸引排出される。
【００１３】
また、ベーパ抜き溝１６の接続縁１７つまり始端の位置を定めることによつてベーパの成長の度合を調整でき、接続縁１７の位置はベーパ抜き溝１６の加工性を勘案して定めればよいものである。
【００１４】
【発明の効果】
本発明は上述のように、ダイアフラム式気化器の燃料室の上壁部にベーパ抜き溝を設け、該ベーパ抜き溝を燃料ジエツトとの連通開口部へ連通し、前記燃料ジエツトの下流部分を吸気道へ開口したので、燃料室で発生し周回するベーパが、ベーパ抜き溝の接続縁に衝突することによつて、自らの周回力によりベーパ抜き溝へ押し込まれ、燃料ジエツトとの連通開口部へ導かれ、さらに吸気負圧を受けて迅速に吸気道へ吸引排出される。つまり、ベーパが発生すると順次効率的にベーパ抜き溝へ捕捉され、かつ連通開口部へ誘導されるので、ベーパの成長が抑えられ、ダイアフラム式気化器の燃料供給機構としてベーパロツクが解消され、機関の安定した運転と排ガス成分の安定化が得られるという効果を奏するものである。
【図面の簡単な説明】
【図１】本発明の実施例に係るダイアフラム式気化器の燃料供給機構を示す正面断面図である。
【図２】同ダイアフラム式気化器の燃料室に燃料制御針弁とレバーとを組み込んだ状態を示す底面図である。
【符号の説明】
１：気化器本体  ２：吸気道  ３：絞り弁  ４：燃料室  ５：ダイアフラム  ６：大気室  ８：レバー  ９：支持軸  １１：燃料制御針弁  １２：逆止弁  １３：連通開口部  １４：燃料ジエツト  １５：燃料ノズル  １６：ベーパ抜き溝  １７：接続縁  １８：ポンプ本体  ２２：蓋板  ２３：ダイアフラム  ３０：燃料供給ポンプ
【図１】
2004293372.tif 000003
【図２】
2004293372.tif 000004